(57)【要約】【課題】表示部の薄型化と同時に液晶パネルの外周部に力が伝わりにくい液晶パネルの保持構造を提供すること。【解決手段】導電性弾性部材115がバックライト116の略中央部に配置され、ホルダー114により前記導電性弾性部材115が押圧され、ホルダー114とバックライト116の間に挟まれる構成となることを特徴とする。【選択図】図３
2016090984.tif 000002
【特許請求の範囲】
【請求項１】
枠体の外装119と液晶パネル117、バックライト116、導電性弾性部材115、板金のホルダー114と電気回路基板113、カバーＴＯＰ110とを順に積み重ねるように配置し、板金のホルダー114を外装の枠体119にビス112で固定される電子機器において、
前記導電性弾性部材115は、バックライト116の中央部に配置され、ホルダー114とバックライト116の間に押圧され挟まれる構成となることを特徴とする液晶パネルの保持構造。
【請求項２】
電気回路基板113の投影内に導電性弾性部材115を配置することを特徴とする請求項１に記載の液晶パネルの保持構造。
【請求項３】
導電性弾性部材115は長方形であり、その長手方向は長方形のバックライト116及び長方形の液晶パネル117の長手方向と平行であることを特徴とする請求項１または請求項２に記載の液晶パネルの保持構造。
【請求項４】
導電性弾性部材115を押圧しているホルダー114の押圧する面501の反対側の面は、電気回路基板113と当接していることを特徴とする請求項１乃至請求項３のいずれか１項に記載の液晶パネルの保持構造。
【請求項５】
導電性弾性部材115を押圧しているホルダー114は押圧部と押圧部以外では段差601があることを特徴としている請求項１乃至請求項４のいずれか１項に記載の液晶パネルの保持構造。
【発明の詳細な説明】
【技術分野】
【０００１】
本発明は、液晶パネルの保持方法に関する。
【背景技術】
【０００２】
表示部の中で特に液晶パネルを用いた場合、表示部に荷重がかかると、液晶パネルが白く輝度ムラを生じることがある。現在、液晶パネルの保持方法として、液晶パネルとバックライトを一体とし、液晶パネルの非表示領域である液晶パネルの外周枠部をスポンジやガスケット等の弾性部材で挟み込み保持する方法が広く用いられている（特許文献１参照
）。
【先行技術文献】
【特許文献】
【０００３】
【特許文献１】特開平１０−２２６６５号公報
【発明の概要】
【発明が解決しようとする課題】
【０００４】
しかしながら、特許文献１では、液晶パネルの外周枠部をスポンジやガスケット等の弾性部材で挟み込み保持するため、外周部の厚みが厚くなることや、表示部をユーザーが保持した際にユーザーの保持荷重が液晶パネルに伝わり易い構造のため、液晶パネルに白い輝度ムラが発生する問題があった。
本発明の目的は、表示部の薄型化と同時に液晶パネルの外周部に力が伝わりにくい液晶パネルの保持構造を提供することにある。
【課題を解決するための手段】
【０００５】
上記の目的を達成するために、本発明は、枠体の弾性部材118と液晶パネル117、バックライト116、導電性弾性部材115、板金のホルダー114と電気回路基板113、カバーＴＯＰ110とを順に積み重ねるように配置し、板金のホルダー114を外装の枠体119をビス112で固定され、液晶パネル117とバックライト116は電気回路基板113に電気的に接続される電子機器において、
前記導電性弾性部材115は、バックライト116の略中央部に配置され、前記ホルダー114により前記導電性弾性部材115が押圧され、ホルダー114とバックライト116の間に挟まれる構成となることを特徴とする。
【発明の効果】
【０００６】
本発明によれば、表示部の薄型化と同時に液晶パネルの外周部に力が伝わりにくい液晶パネルの保持構造の提供を実現できる。
【図面の簡単な説明】
【０００７】
【図１】表示部の例を示す斜視図
【図２】本実施形態の構成要素の分解斜視図
【図３】図２に示す構成要素を組み立てた状態を示す図
【図４】図３から後に示す電気回路基板113、ヒンジ121、カバーＴＯＰ110を外した状態の図
【図５】ホルダーを示している図
【図６】図３の断面Ａ−Ａの断面図
【発明を実施するための形態】
【０００８】
以下、本発明を実施するための形態を図面に基づいて説明する。
【０００９】
＜第１の実施形態＞
図１は表示部の例を示す図である。図２は本実施形態の構成要素の分解斜視図である。図３は図２に示す構成要素を組み立てた状態（カバーＴＯＰ110を除く）を示す図である。図４は図３から後に示す電気回路基板113、ヒンジ121を外した状態の図であり、略中央部にある点線の長方形形状は後に示すホルダー114の下にある導電性弾性部材115を示している。図５はホルダーを示している。図６は図３の断面Ａ−Ａの断面図であり、断面部は斜線で表示してある。
【００１０】
図１は二軸の回動軸を持つ表示部１１を示している。一般的にユーザーが表示部１１を回動軸13、回動軸14を軸として回動する際に主につかむ個所として、表示部11の非表示領域である表示部11の外枠部１２がある。しかしながら従来の構成では、表示部11の外枠部１２をつかむと、ユーザーの保持荷重が液晶パネル117に伝わってしまい、白い輝度ムラが発生していた。本実施例では、小型化を維持しつつ、上記表示部11の外枠部12をユーザーが保持しても白い輝度ムラが発生しづらい構成を以下に説明する。
【００１１】
図２に示す、枠体の外装119は外観面から保護板120を両面テープで貼り付けられる。また枠体の外装119は非外観面側から枠体の弾性部材118と液晶パネル117、バックライト116、導電性弾性部材115、板金のホルダー114と電気回路基板113、カバーＴＯＰ110とを順に積み重ねるように配置し、板金のホルダー114を外装の枠体119にビス112で固定する。電気回路基板113は板金のホルダー114にビス111で固定され、機械的、電気的にも接続される。外装の枠体119とカバーＴＯＰ110はビス109で固定される。液晶パネル117とバックライト116は電気回路基板113にＦＰＣを経由して電気的に接続される。
【００１２】
この時、前記導電性弾性部材115は、バックライト116の略中央部に配置され、前記ホルダー114により前記導電性弾性部材115が押圧され、ホルダー114とバックライト116の間に挟まれる構成となる。これにより図１に示す、表示部11を回動軸14を軸としてユーザーが回動させる場合においても、バックライト116の略中央部に配置されているため、液晶パネル117の外周部には力が伝わりにくくなる。それにより、液晶パネル117は輝度ムラを発生しずらくなる。
【００１３】
また、図４に隠れ線で示す、導電性弾性部材115は長方形であり、その長手方向は長方形のバックライト116及び長方形の液晶パネル117の長手方向と略平行である。また、図５に示す、ホルダー114の導電性弾性部材115を押圧する面501も長方形であり、その長手方向は長方形のバックライト116及び長方形の液晶パネル117の長手方向と略平行である。これにより、バランス良く液晶パネル117を保持することが可能である。
【００１４】
また、図６に示す、導電性弾性部材115を押圧しているホルダー114の押圧する面501の反対側の面は、電気回路基板113と当接している。またこの系合部の電気回路基板113の反対側には電気接続をするためのコネクタ202が実装されている。これにより、導電性弾性部材115を挟むための距離を保ちつつ、電気回路基板113を保持する当て面をホルダー114の一つの形状で作成することが可能となり、別々に作成する場合と比べ、ホルダー114を作成する場合の工程削減が可能となる。
【００１５】
また、図６に示す、導電性弾性部材115を押圧しているホルダー114は押圧部と押圧部以外では左右方向で段差601がある。これにより、押圧する面501以外がバックライト116に近づき、表示部11の薄型化が可能となる。
【００１６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００１７】
１１  表示部、１２  外枠部、１３  回動軸、１４  回動軸、１０９  ビス、
１１０  カバーＴＯＰ、１１１  ビス、１１２  ビス、１１３  電気回路基板、
１１４  板金のホルダー、１１５  導電性弾性部材、１１６  バックライト、
１１７  液晶パネル、１１８  枠体の弾性部材、１１９  枠体の外装、１２０  保護板、
１２１  ヒンジ、２０２  コネクタ、５０１  押圧する面、６０１  段差
【図１】
2016090984.tif 000003
【図２】
2016090984.tif 000004
【図３】
2016090984.tif 000005
【図４】
2016090984.tif 000006
【図５】
2016090984.tif 000007
【図６】
2016090984.tif 000008